(57)【要約】【課題】  乗客コンベアフレームのサイズが制約を受ける場合や、安定器を追加する場合において、安定器の取付けを容易に行えるようにする。【解決手段】  乗客コンベア用照明装置の安定器取付構造において、乗客コンベアフレーム３の上縁部に外嵌される取付ベース１５と、取付ベース１５に形成されたネジ穴に螺合され、先端部が乗客コンベアフレーム３に押圧される固定部材１７と、取付ベース１５に取付けられて照明装置１１の安定器１２を保持する保持体２０と、を備える。【選択図】    図１
2007076814.tif 000002
【特許請求の範囲】
【請求項１】
乗客コンベアフレームの上縁部に外嵌される取付ベースと、
前記取付ベースに形成されたネジ穴に螺合され、先端部が前記乗客コンベアフレームに押圧される固定部材と、
前記取付ベースに取付けられて照明装置の安定器を保持する保持体と、
を備えることを特徴とする乗客コンベア用照明装置の安定器取付構造。
【請求項２】
前記固定部材は、先端部にリング状の凸部が形成されたくぼみ先ボルトであることを特徴とする請求項１記載の乗客コンベア用照明装置の安定器取付構造。
【請求項３】
前記請求項１又は２記載の乗客コンベア用照明装置の安定器取付構造を備えることを特徴とする乗客コンベア。
【発明の詳細な説明】
【技術分野】
【０００１】
本発明は、乗客コンベア用照明装置の安定器取付構造及びこの乗客コンベア用照明装置の安定器取付構造を備える乗客コンベアに関する。
【背景技術】
【０００２】
エスカレータ、動く歩道等の乗客コンベアは、循環移動する複数のステップの移動方向に沿った両側に欄干が設けられ、この欄干の上縁部に沿って複数の照明用蛍光灯が配置されている。
【０００３】
複数の照明用蛍光灯にはそれぞれ安定器が接続され、これらの安定器の取付構造としては、例えば、下記特許文献１、２に記載されている。
【０００４】
特許文献１には、欄干の下側に設けられる乗客コンベアフレーム内に安定器取付台を取付け、この安定器取付台に複数の安定器を取付ける構造が記載されている。
【０００５】
特許文献２には、欄干の上縁部における手すりベルトの下側の位置に取付スペースを確保し、この取付スペース内に安定器を取付ける構造が記載されている。
【特許文献１】特開平７−２４７０９３号公報
【特許文献２】特許第２７８０６０３号公報
【発明の開示】
【発明が解決しようとする課題】
【０００６】
しかしながら、前述の安定器の取付構造においては、以下の点について配慮がなされていない。
【０００７】
特許文献１に記載された安定器の取付構造によれば、乗客コンベアフレーム内に安定器取付台を取付けるスペースを確保する必要がある。しかし、建物の制約により乗客コンベアフレームが小型になった場合や、乗客コンベアの制御用部品の数が増えてそれらの制御用部品を乗客コンベアフレーム内に取付けた場合には、安定器取付台を取付けるスペースを乗客コンベアフレーム内に確保することが困難になる。
【０００８】
さらに、欄干の形状を変更するリニューアル工事等に伴って安定器を追加する場合には、安定器取付台を取付けるための支えを乗客コンベアフレーム内に追加する必要があり、支えを乗客コンベアフレームに溶接したり、又は、支えをネジ止めするためのネジ穴を乗客コンベアフレームに形成しなければならず、安定器を追加する場合に手間がかかっている。
【０００９】
特許文献２に記載された安定器の取付構造によれば、欄干の構造が複雑になってコストアップとなる。さらに、安定器から発生する熱により手すりベルトが加熱され、手すりベルトを握った利用者に対して不快感を与えることがある。
【００１０】
本発明はこのような課題を解決するためになされたもので、その目的は、乗客コンベアフレームのサイズが制約を受ける場合や、安定器を追加する場合において、安定器の取付けを容易に行うことができる乗客コンベア用照明装置の安定器取付構造及びその乗客コンベア用照明装置の安定器取付構造を備える乗客コンベアを提供することである。
【課題を解決するための手段】
【００１１】
本発明の実施の形態に係る第１の特徴は、乗客コンベア用照明装置の安定器取付構造において、乗客コンベアフレームの上縁部に外嵌される取付ベースと、前記取付ベースに形成されたネジ穴に螺合され、先端部が前記乗客コンベアフレームに押圧される固定部材と、前記取付ベースに取付けられて照明装置の安定器を保持する保持体と、を備える。
【００１２】
本発明の実施の形態に係る第２の特徴は、乗客コンベアにおいて、第１の特徴に係る乗客コンベア用照明装置の安定器取付構造を備える。
【発明の効果】
【００１３】
本発明によれば、乗客コンベアにおける照明装置の安定器の取付けや追加の作業を、手間をかけず容易に行うことができる。
【発明を実施するための最良の形態】
【００１４】
以下、本発明の実施の形態を図面を用いて説明する。
【００１５】
本発明の一実施の形態に係る乗客コンベアであるエスカレータ１は、図１に示すように、循環移動する複数のステップ２（図４参照）と、ステップ２の移動方向両側に配置された一対の乗客コンベアフレームであるエスカレータフレーム３と、エスカレータフレーム３の上部に立設された一対の欄干４とを有している。欄干４は、パネル５と、スカートガード６（図４参照）と、内レッジ７（図４参照）と、外デッキ８（図４参照）とを含んで構成されている。パネル５の周縁部には手すり枠９が設けられ、手すり枠９の外周にはステップ２と同期して移動する手すりベルト１０が取付けられている。
【００１６】
欄干４の上縁部に沿った位置には、手すり枠９の下側に位置して照明装置である複数の照明用蛍光灯１１が取付けられている。個々の照明用蛍光灯１１にはそれぞれ安定器１２が接続され、照明用蛍光灯１１と安定器１２とを接続する電線１３が手すり枠９に沿った位置、及び、エスカレータフレーム３内に配線されている。
【００１７】
エスカレータフレーム３には、このエスカレータフレーム３の上縁部に沿って配置されたフレーム上縁主梁材１４が設けられている。フレーム上縁主梁材１４は、図５に示すように、垂直板部１４ａと水平板部１４ｂとを有する断面形状Ｌ字形に形成されている。
【００１８】
フレーム上縁主梁材１４には、安定器１２を取付けるために用いられる複数の取付ベース１５が着脱可能に取付けられている。取付ベース１５は、第１板部１５ａと第２板部１５ｂとを有する断面形状がくの字形に形成されたベース本体１５ｃと、第２板部１５ｂの先端部に溶接された断面形状コの字形の係合部１５ｄとにより形成されている。第１板部１５ａには複数のネジ穴１６が形成され、これらのネジ穴１６には固定部材であるくぼみ先ボルト１７が螺合されている。くぼみ先ボルト１７は、図６に示すように先端部に凹部１８が形成され、この凹部１８の周囲にリング状の凸部１９が形成されている。
【００１９】
フレーム上縁主梁材１４への取付ベース１５の取付けは、第１板部１５ａを下向きにして第２板部１５ｂを水平向きにした取付ベース１５をフレーム上縁主梁材１４に上方から外嵌し、及び、係合部１５ｄを水平板部１４ｂの先端部に係合し、くぼみ先ボルト１７をネジ穴１６に螺合して締め付けることにより行われている。
【００２０】
取付ベース１５には、保持体２０が取付けられている。保持体２０は、平行に位置付けられた一対のステイ２０ａと、これらのステイ２０ａに対して直交する向きに平行に位置付けられた一対のステイ２０ｂとを井形状に連結して形成されている。保持体２０には電線１３が配線されるダクト２０ｃがステイ２０ｂと平行に設けられ、ダクト２０ｃはステイ２０ａに固定されている。取付ベース１５への保持体２０の取付けは、ステイ２０ａを貫通する取付ボルト２１を取付ベース１５に形成されたネジ穴（図示せず）に螺合することにより行われている。１つの保持体２０は２つの取付ベース１５に跨って取付けられており、１つの保持体２０における一方のステイ２０ａが１つ目の取付ベース１５に取付ボルト２１によりボルト締めされ、他方のステイ２０ａが２つ目の取付ベース１５に取付ボルト２１によりボルト締めされている。
【００２１】
保持体２０には、複数の安定器１２が取付けられている。安定器１２は直方体形状に形成され、安定器１２の長手方向の一端が一方のステイ２０ｂに固定され、安定器１２の長手方向の他端が他方のステイ２０ｂに固定されている。
【００２２】
このような構成において、エスカレータ１に照明用蛍光灯１１の安定器１２を取付ける場合は、最初に、フレーム上縁主梁材１４に取付ベース１５を取付ける。フレーム上縁主梁材１４への取付ベース１５の取付けは、まず、図５（ａ）に示すように、取付ベース１５のネジ穴１６にくぼみ先ボルト１７を螺合させ、くぼみ先ボルト１７の先端が第１板部１５ａを貫通しない位置で仮止めしておく。
【００２３】
ついで、図５（ｂ）に示すように、この取付ベース１５をフレーム上縁主梁材１４の上縁部に外嵌させ、第２板部１５ｂの下面を水平板部１４ｂの上面に当接させる。
【００２４】
ついで、図５（ｃ）に示すように、くぼみ先ボルト１７を締め付け、その先端部を垂直板部１４ａに押圧させ、取付ベース１５を水平方向に平行移動させて係合部１５ｄを水平板部１４ｂの先端部に係合させる。このとき、くぼみ先ボルト１７のリング状の凸部１９が垂直板部１４ａに食い込み、フレーム上縁主梁材１４への取付ベース１５の取付けを強固に行うことができる。このため、取付ベース１５の取付けを図１に示すようにフレーム上縁主梁材１４の傾斜部分に行っても、取付けられた取付ベース１５が位置ずれするということが生じない。
【００２５】
また、取付ベース１５を取付ける位置は、エスカレータフレーム３の内側ではなく外側であるため、様々な制約によりエスカレータフレーム３が小型になった場合においても、エスカレータフレーム３が小型になることが原因となる制約を受けることなく取付ベース１５の取付けを行うことができる。
【００２６】
さらに、フレーム上縁主梁材１４への取付ベース１５の取付けに際しては、取付ベース１５を取付けるための加工、例えば、ネジ穴加工などをフレーム上縁主梁材１４に対して行う必要がない。このため、フレーム上縁主梁材１４への取付ベース１５の取付けを、手間をかけずに短時間で行うことができる。
【００２７】
取付ベース１５への保持体２０の取付けは、保持体２０を取付ボルト２１により取付ベース１５にボルト締めして行われており、取付ベース１５への保持体２０の取付けを手間をかけずに容易に行うことができる。
【００２８】
保持体２０への安定器１２の取付けは、取付ベース１５に取付けた後の保持体２０に対して行ってもよく、又は、取付ベース１５に取付ける前の保持体２０に対して行ってもよい。取付ベース１５に取付ける前の保持体２０に安定器１２を取付ける場合には、その取付作業を十分に広い作業空間において行うことができる。また、取付ベース１５に取付けた後の保持体２０に対して安定器１２を取付ける場合にも、保持体２０の周囲に十分な作業空間を確保することができる。
【００２９】
メンテナンス時に安定器１２を交換する場合などには、スカートガード６や内レッジ７を取外すことにより、保持体２０の周囲に十分な作業スペースを確保することができ、安定器１２の交換を手間をかけず短時間で行うことができる。
【００３０】
欄干４の形状を変更するリニューアル工事等に伴って安定器１２を追加する場合には、フレーム上縁主梁材１４に取付ベース１５を追加し、この取付ベース１５に保持体２０を追加して取付ければよく、安定器１２の追加を容易に行うことができる。
【００３１】
なお、本実施の形態では、乗客コンベア用照明装置の安定器取付構造を乗客コンベアの一例であるエスカレータ１に適用した場合を例に挙げて説明したが、動く歩道においてもこの乗客コンベア用照明装置の安定器取付構造を適用することができる。
【図面の簡単な説明】
【００３２】
【図１】本発明の一実施の形態に係る乗客コンベア用照明装置の安定器取付構造を備えるエスカレータの概略構成図である。
【図２】乗客コンベア用照明装置の安定器取付構造を示す側面図である。
【図３】その平面図である。
【図４】図２におけるＡ−Ａ線断面図である。
【図５】フレーム上縁主梁材への取付ベースの取付手順を示す工程図である。
【図６】へこみ先ボルトを示す斜視図である。
【符号の説明】
【００３３】
１      乗客コンベア
３      乗客コンベアフレーム
１１      照明装置
１２      安定器
１５      取付ベース
１６      ネジ穴
１７      固定部材、くぼみ先ボルト
１９      凸部
２０      保持体
【図１】
2007076814.tif 000003
【図２】
2007076814.tif 000004
【図３】
2007076814.tif 000005
【図４】
2007076814.tif 000006
【図５】
2007076814.tif 000007
【図６】
2007076814.tif 000008